(57)【要約】【課題】光を照射することにより化粧料又は化粧料を容器に収納した化粧品を装飾し、意匠性に優れた化粧料又は化粧料を容器に収納した化粧品を提供すること。【解決手段】半透明化粧料に光を照射し、それによって半透明化粧料が光って化粧料が装飾される化粧料の装飾方法。容器に半透明化粧料を収納した化粧品の、前記半透明化粧料に光を照射し、それによって半透明化粧料が光って化粧品が装飾される化粧品の装飾方法。容器に設けた発光体から光を照射することを特徴とする前記化粧品の装飾方法。さらに、前記方法における容器に発光体を設けた化粧品。【選択図】図６
2010099227.tif 000002
【特許請求の範囲】
【請求項１】
化粧料に光を照射し、それによって化粧料が光って化粧料が装飾される化粧料の装飾方法であって、前記化粧料が半透明化粧料であることを特徴とする前記化粧料の装飾方法。
【請求項２】
容器に化粧料を収納した化粧品の、前記化粧料に光を照射し、それによって化粧料が光って化粧品が装飾される化粧品の装飾方法であって、前記化粧料が半透明化粧料であることを特徴とする前記化粧品の装飾方法。
【請求項３】
容器に設けた発光体から光を照射することを特徴とする請求項２記載の化粧品の装飾方法。
【請求項４】
化粧料を該化粧料に光を照射する機能を有する発光体を設けた容器に収納した化粧品であって、前記化粧料が半透明化粧料であり、該半透明化粧料が前記発光体からの光の照射によって光ることを特徴とする前記化粧品。
【発明の詳細な説明】
【技術分野】
【０００１】
本発明は化粧料又は化粧料が容器に収納された化粧品の前記化粧料に光を照射して化粧料を光らして化粧料又は化粧品を装飾する方法、並びに前記化粧品において、容器に設けた発光体からの光を前記化粧料に照射すると該化粧料が光り装飾されるようにした化粧品に関する。
【背景技術】
【０００２】
化粧料及びそれを容器に収納した化粧品は、それらの機能はもとより、意匠的に優れたものが使用者の心を和ませること等から好まれている。従来、化粧料又は化粧料を容器に収納した化粧品（以下、「化粧料収納化粧品等」ともいう。）の意匠性をアップするために、容器の形状、色調、模様等のデザイン、化粧料の色、模様等を工夫していた。
【０００３】
光で化粧料収納化粧品等を装飾することも意匠性をアップする一つの方法であり、従来容器を光らせる技術が開発されており、例えば、飲料用のカップ、グラス等に対し光の照射乃至発散性のイルミネーション機能をもたせ、特にそのボトム部分で所定形状の光輝部分が形成されるようにした照明型容器に関する技術（特許文献１参照。）、導電体をもつ容器及びこの導電体に接触給電する給電ディスクと、給電を受け発光する発光装飾体で構成される化粧品等の瓶に照明を施す装飾照明付容器に関する技術（特許文献２参照。）等が開示されている。しかしながら、これらは、化粧品用の容器でなかったり、化粧品用であっても単に容器に光を照射して明るくしたり、光りの色によって色づけしたりするに過ぎず、化粧料収納化粧品等の意匠性としては充分でなかった。
【０００４】
【特許文献１】特開２００４−１０５２３１号公報
【特許文献２】特開平８−１２４４１０号公報
【発明の開示】
【発明が解決しようとする課題】
【０００５】
本発明は上記事情に鑑みてなされたもので、その目的は、光を照射することにより化粧料収納化粧品等を装飾し、意匠性に優れた化粧料収納化粧品等を提供することにある。
【課題を解決するための手段】
【０００６】
本発明者らは上記課題を解決するために鋭意研究を行った結果、半透明化粧料に光を照射したところ半透明化粧料がきれいに光ってみえ、従来にない意匠性に優れた化粧料が得られることを見出し、本発明を完成するに至った。
【０００７】
すなわち、第一発明は、化粧料に光を照射し、それによって化粧料が光って化粧料が装飾される化粧料の装飾方法であって、前記化粧料が半透明化粧料であることを特徴とする前記化粧料の装飾方法である。
【０００８】
また、第二発明は、容器に化粧料を収納した化粧品の、前記化粧料に光を照射し、それによって化粧料が光って化粧品が装飾される化粧品の装飾方法であって、前記化粧料が半透明化粧料であることを特徴とする前記化粧品の装飾方法である。
【０００９】
また、第三発明は、容器に設けた発光体から光を照射することを特徴とする前記化粧品の装飾方法である。
【００１０】
また、第四発明は、化粧料を該化粧料に光を照射する機能を有する発光体を設けた容器に収納した化粧品であって、前記化粧料が半透明化粧料であり、該半透明化粧料が前記発光体からの光の照射によって光ることを特徴とする前記化粧品である。
【００１１】
本発明において、透明、半透明、不透明は、この順に連続的に変化する状態であり、それぞれ当業者間で認識されている状態のものである。
【００１２】
本発明において、液状、半固形、固形等の用語は常温での状態を示す。例えば、半固形、固形とは、常温において流動性を有しないもの。また、液状とは、常温において流動性を有する、例えば液体をいう。なお、液状油分、半固形油分、固形油分等はいずれも当業者の間で認識されているものである。
【００１３】
本発明において、光透過性容器は光を透過する性質を有する容器であり、容器内の内容物を蓋を取り外すことなく容器壁面を隔て観察することのできる容器のことをいう。光透過性容器の全光線透過率は１〜１００％の範囲を示す。なお、該容器の全光線透過率はＪＩＳ Ｋ７１０５、ＪＩＳ Ｋ７３６１に準じて測定される。
【発明の効果】
【００１４】
本発明によれば、半透明化粧料に光を照射するようにしたので、前記半透明化粧料に光が照射されると該半透明化粧料がきれいに光ってみえ、前記半透明化粧料に優れた意匠性を付与することができる。前記半透明化粧料を、容器に充填すると、容器が光透過性の場合、容器をとおしてきれいに光った化粧料が見え、化粧料が収納された化粧品が優れた意匠性が付与される。また、前記半透明化粧料を容器への収納状態を工夫することにより、例えば、グラデーション模様を形成させたりすることができる。また、光を発する発光体を容器に設けて半透明化粧料に光を照射するようにすることにより、発光体とともに化粧品を移動することができ、携帯用の優れた意匠性の化粧品として使用できる。
【発明を実施するための最良の形態】
【００１５】
以下、本発明を実施するための最良の形態について詳述する。
【００１６】
以下、添付図面に基づいて、本発明に係る化粧料又はそれを容器に収納した化粧品（以下、「本発明化粧料収納化粧品等」ともいう。）の装飾方法及び本発明化粧料収納化粧品等について詳説する。
【００１７】
図１は本発明の一つの実施の形態に係る化粧品１０を示す概念的な図である。また、図２は、図１の化粧品１０の構造を説明するために図１の化粧品１０の一部の内部構造が見えるように示した概念的な図である。
【００１８】
図１及び２における化粧品１０は、円柱形の光透過性の容器（光透過性容器４５）（高さ４５ｍｍ、直径２０ｍｍ）内にリップグロスが収納されている。前記リップグロスは表１に記載の組成の外観半透明状の半透明化粧料２０であり、液状油分を油ゲル化剤でゲル化した半透明油性ゲル状化粧料である。なお、リップグロスは以下のようにして製造した。すなわち、（２）〜（７）の油性成分にパルミチン酸デキストリンを加熱溶解し油性ゲルを調製したものに、ジメチルシリル化シリカを均一に混練り分散した後、防腐剤、香料を添加して、油性ゲル状のリップグロスを製造した。
【００１９】
【表１】
2010099227.tif 000003
【００２０】
（注）レオパールＫＬ（千葉製粉株式会社製）
【００２１】
なお、前記光透過性容器４５は透明なＰＥＴ製であり、キャップ４１（高さ４０ｍｍ、直径２０ｍｍ）によって蓋がされている。キャップ４１には先端に塗布具４４を設けた樹脂製の透明軸４３が取り付けられリップグロス中に垂下している。前記軸４３の基部にはしごき４２部材が設けられており、リップグロスを塗布具４４により塗布する際に、不要のリップグロスを取り除く機能を有している。化粧品１０の使用に当たっては、前記キャップ４１を開けて軸４３についたリップグロスを適用部位に該軸４３を用いて塗布する。
【００２２】
キャップ４１の内側には光源として一個の光度１５００ｍｃｄのＬＥＤ３１からなる発光体３０がそれを発光させる電池５０に電気的に接続されて内蔵されている。図２において、電池５０によってＬＥＤ３１が通電されると、ＬＥＤ３１は発光し、発光した光はリップグロスを上方から縦方向に照射し、リップグロス内に入射する。
【００２３】
図３には、図１（図２）の化粧品１０のリップグロス（半透明化粧料２０）に照度１５００ｌｘの光を照射した状態の光りの具合を概念的に示した。図３の化粧料の白い部分が光っていることを示すものである。なお、以下、本明細書において、同様の概念的に示す図においても、図の化粧料の白い部分が光っていることを示すものである。また、６０は入射光を示すものである。
【００２４】
本発明においては半透明の化粧料のみが光りが照射されることにより光る。透明な化粧料は光らない。また、光が透過しない不透明な化粧料でも光らない。
【００２５】
本発明における半透明化粧料２０は、光の光直進透過率が０．０５０〜９０．０００％の範囲のものであり、この範囲においてきれいな光りを見ることができる。なお、前記光直進透過率は、分光光度計（例えば、島津製作所製、分光光度計ＵＶ−２５５０）により、１０ｍｍの角型石英セルを用いて室温で測定される光直進透過率で示したものである。本発明において示した光直進透過率は全て上記の条件で測定された光直進透過率である。なお、光直進透過率の単位は％である。
【００２６】
なお、前記光直進透過率は光の波長により異なるが、本発明における半透明化粧料２０の光直進透過率は、４００〜７５０ｎｍのいずれかの波長の光において、上記範囲のものであればよい。前記図１に係るリップグロスの波長６８０ｎｍ、５３０ｎｍ、４７０ｎｍの光の光直進透過率はそれぞれ７５．６３５％（６８０ｎｍ）、６７．０４８％（５３０ｎｍ）、５９．５３６％（４７０ｎｍ）である。以下、波長６８０ｎｍ、５３０ｎｍ、４７０ｎｍの光の光直進透過率をこのように表す。
【００２７】
本発明における半透明状の化粧料は、該化粧料を透過する光の拡散光によって光るものと考えられる。すなわち、半透明化粧料２０に入射された光は、ゲル等の組成、粉体（以下、粉末ともいう。）等の物質、粒子・界面・結晶等の構成等によって屈折、散乱、反射等を起こし、進行方向や空間的な分布等に変化を受けて、透過する光の一部が拡散等によって妨げられることによって光ってみえると考えられる。
【００２８】
半透明化粧料２０又はそれを容器に収納した化粧品１０（以下、「半透明化粧料収納化粧品等」ともいう。）の光ることによる装飾の状態は自在にコントロールすることができる。例えば、半透明化粧料２０の分散制御、屈折率の制御、結晶状態の制御等によって散乱・透過・偏光等の光拡散能を制御することで様々な光具合を呈するようにすることができる。
【００２９】
前記図１における実施の形態では、光透過性容器４５内に収納される本発明に係る半透明化粧料２０として、前記半透明油性ゲル状のリップグロスを用いた例について説明したが、本発明においては、前記リップグロスに限られることはない。
【００３０】
本発明に係る半透明化粧料２０としては、例えば、次の（Ａ）〜（Ｄ）の半透明化粧料２０が挙げられる。
（Ａ）半透明油性化粧料
（Ｂ）水、油分、界面活性剤を含有した、エマルジョンからなる半透明化粧料２０
（Ｃ）液晶からなる半透明化粧料２０
（Ｄ）半透明水性化粧料
【００３１】
以下、前記（Ａ）〜（Ｄ）の半透明化粧料２０について、詳述する。
【００３２】
（Ａ）半透明油性化粧料について
半透明油性化粧料は液状油分を半透明化した化粧料であれば特に限定されず、例えば、
（Ａ１）液状油分及び油ゲル化剤を含有した、液状油分を油ゲル化剤でゲル化した油性ゲル状化粧料、（Ａ２）液状油分及び固形状油分を含有した、液状油分を固形状油分で増粘乃至固化した油性化粧料等が挙げられる。これらの半透明油性化粧料は、液状油分を油ゲル化剤でゲル化する、液状油分に固形状油分を配合する等により調製される。例えば、前記（Ａ１）の油性化粧料における油ゲル化剤の配合量は特に限定されないが、前記油性化粧料全量中１〜２０質量％の範囲で配合すれば充分である。また、前記（Ａ２）の油性化粧料における固形状油分の配合量は特に限定されることなく、固形状油分の種類、配合量を調整することによって流動性を有するものから固形化されたものまでを得ることができる。本発明においては、液状油分を油ゲル化剤でゲル化して半透明化した油性化粧料であると、光の照射によって特にきれいに見られる。
【００３３】
（Ｂ）エマルジョンからなる半透明化粧料２０について
エマルジョンからなる半透明化粧料２０は、外観が半透明を呈するエマルジョンからなる化粧料である。該化粧料は、エマルジョンを製造する一般的な方法で調整される。例えば、エマルジョンを構成する分散相と分散媒相の屈折率の差、油分量、界面活性剤量を調整して乳化することによって調製することができる。
【００３４】
（Ｃ）液晶からなる半透明化粧料２０について
液晶からなる半透明化粧料２０は液晶により半透明を呈するものであり、前記液晶としては、スメティック液晶、ネマティック液晶、コレステリック液晶等が用いられる。また、液晶を形成する化合物としては、例えば、リン脂質、多価アルコール、低級アルコール、コレステロール誘導体等が挙げられる。
【００３５】
（Ｄ）半透明水性化粧料について
半透明水性化粧料は水を半透明化した化粧料であれば特に限定されず、例えば、（Ｄ１）水及び水ゲル化剤を含有した、水を水ゲル化剤でゲル化した水性ゲル状化粧料等が挙げられる。これらの半透明水性化粧料は、水を水ゲル化剤でゲル化する等の方法で調製される。例えば、前記（Ｄ１）の水性化粧料における水ゲル化剤の配合量は特に限定されないが、前記水性化粧料全量中１〜２０質量％の範囲で配合すれば充分である。
【００３６】
本発明に係る半透明化粧料２０における構成成分である、液状油分、油ゲル化剤、固形状油分、界面活性剤、水ゲル化剤、水は、化粧料に一般的に用いられるものから選択して用いることができる。
【００３７】
例えば、液状油分としては、例えば、マカデミアナッツ油、月見草油、ホホバ油、重質流動イソパラフィン、ミネラルオイル、スクワラン、ポリブテン、パルミチン酸イソプロピル、２−エチルヘキサン酸セチル、セバシン酸ジ２−エチルヘキシル、ジカプリン酸ネオペンチルグリコール、トリ２−エチルヘキサン酸グリセリル、ジイソステアリン酸ジグリセリル、トリイソステアリン酸ジグリセリル、テトラ２−エチルヘキサン酸ペンタエリトリット、トリ２−エチルヘキサン酸トリメチロールプロパン、リンゴ酸ジイソステアリル、イソステアリン酸、オレイルアルコール、ジメチルポリシロキサン、メチルフェニルポリシロキサン、デカメチルシクロペンタシロキサン、ドデカメチルシクロヘキサシロキサン、パーフロロポリエーテル等が挙げられる。
【００３８】
油ゲル化剤としては、パルミチン酸デキストリン等のデキストリン脂肪酸エステル、１２−ヒドロキシステアリン酸、ステアリン酸石けん等の金属石鹸、ジメチルシリル化シリカ等の処理シリカ、シロキサンベースのポリアミド類等が挙げられる。
【００３９】
固形状油分としては、例えば、硬化油、モクロウ、パラフィンワックス、セレシン、マイクロクリスタリンワックス、ポリエチレンワックス、ミツロウ、ラノリン、キャンデリラロウ、カルナウバロウ、イボタロウ、ホホバロウ、ステアリン酸、１２−ヒドロキシステアリン酸、セチルアルコール、トリミリスチン酸グリセリル等が挙げられる。
【００４０】
界面活性剤としては、化粧料に一般的に用いられるものが挙げられる。例えば、パルミチン酸ナトリウム、アシルメチルタウリン塩等のアニオン界面活性剤；塩化ステアリルトリメチルアンモニウム、ラウリルアミンオキサイド等のカチオン界面活性剤；２−ココイル−２−イミダゾリニウムヒドロキサイド−１−カルボキシエチロキシ２ナトリウム塩、アルキルベタイン、アミドベタイン、スルホベタイン等の両性界面活性剤；
【００４１】
ソルビタンモノステアレート、モノステアリン酸グリセリン、モノステアリン酸プロピレングリコール、グリセリンアルキルエーテル、ポリオキシエチレン（以下、ＰＯＥという。）ソルビタンモノオレエート、ＰＯＥソルビットモノラウレート、ＰＯＥソルビタンモノオレート、ＰＯＥグリセリンモノイソステアレート、ポリエチレングリコール（以下、ＰＥＧという。）モノオレート、ＰＥＧジステアレート、ＰＯＥ２−オクチルドデシルエーテル、プルロニック型類、ＰＯＥ・ポリオキシプロピレン（以下、ＰＯＰという。）２−デシルテトラデシルエーテル、ＰＯＥ硬化ヒマシ油、ショ糖脂肪酸エステル、アルキルグルコシド等の非イオン界面活性剤等が挙げられる。
【００４２】
水ゲル化剤としては、デンプングリコール酸ナトリウム、グアーガム、ローカストビーンガム、クインスシード、カラギーナン、ガラクタン、アラビアガム、ペクチン、マンナン、デンプン、ヒアルロン酸、キサンタンガム、デキストラン、サクシノグルカン、カードラン、ゼラチン、カゼイン、アルブミン、コラーゲン、セルロース、アルギン酸塩、ポリビニルアルコール、ポリビニルピロリドン、ポリビニルエチルエーテル、カルボキシビニルポリマー、ポリアクリル酸ソーダ、ポリエチレンオキシド、エチレンオキシド、プロピレンオキシド共重合体、ベントナイト、ラポナイト、微粉酸化ケイ素、コロイダルアルミナ等が挙げられる。
【００４３】
本発明に係る半透明化粧料２０には、それらの化粧料の半透明性を逸脱しない範囲で、化粧料に一般的に用いられる成分を適宜配合することができる。
【００４４】
前記任意配合成分としては、例えば、ラメ材、顔料（有機、無機、パール顔料等）、シリカ、高分子材料、シリコーン系粉体等の粉体が挙げられる。該粉体は半透明化粧料２０の光直進透過率を調整することができる。
【００４５】
前記ラメ材としては、具体的に、（ＰＥＴ／ＰＭＭＡ）ラミネート、（ＰＥＴ／ポリオレフィン）ラミネート、（ＰＥＴ／Ａｌ／エポキシ樹脂）ラミネート等が挙げられる。
【００４６】
前記有機顔料としては、具体的に、赤色２０２号、赤色２０１号、赤色２２８号、赤色２２６号、青色４０４号、黄色４号、黄色５号等が挙げられる。
【００４７】
前記無機顔料としては、具体的に、マイカ、タルク、カオリン、セリサイト、白雲母、金雲母、合成雲母、紅雲母、黒雲母、リチア雲母、合成雲母、炭酸カルシウム、炭酸マグネシウム、無水ケイ酸、ケイ酸アルミニウム、ケイ酸バリウム、ケイ酸カルシウム、ケイ酸マグネシウム、ケイ酸ストロンチウム、酸化アルミニウム、硫酸バリウム、ベンガラ、黄酸化鉄、黒酸化鉄、酸化コバルト、群青、紺青、酸化チタン、酸化亜鉛、窒化ホウ素等が挙げられる。
【００４８】
前記パール顔料としては、具体的に、雲母チタン、魚燐箔、オキシ塩化ビスマス、ホウケイ酸（Ｃａ／Ａｌ）等が挙げられる。
【００４９】
前記高分子材料としては、具体的に、ポリエチレン粉末、ポリメタクリル酸メチル粉末、ポリアミド樹脂粉末、セルロース粉末等が挙げられる。
【００５０】
前記シリコーン系粉体としては、具体的に、オルガノポリシロキサンエラストマー等が挙げられる。
【００５１】
その他、任意配合成分として、例えば、前記以外の油分、保湿剤、多価アルコール、増粘剤、前記以外の水溶性高分子、皮膜形成剤、非水溶性高分子、高分子エマルジョン、低級アルコール、糖類、紫外線吸収剤、アミノ酸類、ビタミン類、美白剤，皮膚賦活剤，血行促進剤，抗脂漏剤，抗炎症剤（消炎剤）等の薬剤、植物抽出物、有機酸、有機アミン、金属イオン封鎖剤、ｐＨ調整剤、酸化防止剤、抗菌剤、防腐剤、収斂剤、清涼剤、香料等を挙げることができる。
【００５２】
本発明における半透明化粧料２０の形態としては液状、半固形状、固形状等いずれでもよい。これらは、光透過性容器４５に収納して化粧品１０として容器（光透過性容器４５）をとおして光の状態を見ることができる。また、前記固形状のものであれば容器をとおさずに光りの状態を見ることができる。
【００５３】
本発明における前記半透明化粧料２０の具体的応用例としては、例えば、固形状タイプの棒状化粧料（口紅、リップクリーム、ファンデーション、化粧下地等）、化粧石鹸等、液状、半固形状タイプの口紅、リップクリーム、ファンデーション、化粧下地等、リップグロス、ヘアワックス、コールドクリーム、ヘアカラー、洗顔料、化粧水、乳液、美容液、シャンプー、リンス、オーデコロン、練り香水、爪クリーム、エナメル、バスオイル等が挙げられる。
【００５４】
前記図１〜３を用いて説明した実施の形態では、光源としての発光体３０としてＬＥＤ３１の例について説明したが、発光体３０はこれに限られず、光を発して、前記本発明化粧料収納化粧品等の収納物を照射する機能を有するものであればよく、例えば、紫外線ライト、蛍光体を使用することも可能である。例えば、紫外線ライトを発光体３０とした場合、照射部分に紫外線にて発光する成分又は材料等があれば、審美的な発光を得ることができる。また、蛍光体を発光体３０とした場合は、電源が不要のため、省スペースにて半永久的に発光を得ることができる。
【００５５】
発光体３０の取り付け位置については、前記実施の形態では、発光体３０は容器（光透過性容器４５）のキャップ４１の内側に内蔵されている例について説明したが、特に限定されるものではなく、容器の底部等他の部位に内蔵しても構わず、また塗布具４４の付いた化粧品１０等のように部材を設けた化粧品１０においては、塗布具４４等の部材を蛍光材料で形成して発光体３０としてもよい。また、前記実施の形態では、発光体３０を１個設けた例について説明したが、発光体３０の個数は任意に設定することができる。また発光体３０を容器とは別体にした装置に設けてもよい。該別体の装置は容器に組み込んでも、また容器とは別体を維持して外部から照射しても構わない。発光体３０を光源として利用するために発光体３０を光らす方法は、電池５０によるものに限られず、種々の方法を利用することができる。発光体３０からの光を化粧品１０の収納物に照射するに当たっては、特に限定されないが、化粧品１０の収納物の全体に照射しても、また一部でも構わない。本発明において、照射する光りは、白色光、着色光等いずれでも構わない。
【００５６】
光量についても、種々変化させることにより、異なった趣のある光を見ることができる。例えば、光量を弱めたＬＥＤ３１を照射すると、半透明化粧料２０の視覚効果が増大し、光によるグラデーション効果が得られる。また、光量を強めＬＥＤ３１を照射すると、光拡散効果により全体が光って見える。ＬＥＤ３１の色は、白色、赤色、緑色いずれでも利用可能である。
【００５７】
容器の形態としては、特に限定されることなく、化粧品用容器として一般的なものが用いられる。例えば、円柱、直方体、立方体、球状等の形状を有するものいずれでも構わない。また、容器のタイプで示せば、前記ボトルタイプ以外に、ジャー、チューブ、コンパクト容器、ポンプ容器、口紅容器等とすることができる。図４、５には、化粧水瓶、ジャータイプの容器に収納した化粧料に光を照射した概念的な図を示した。
【００５８】
また、前記実施の形態では、容器が光透過性素材で形成された透明な光透過性容器４５の例について説明したが、このものに限定されるものではなく、半透明であってもよい。光透過性容器４５は透明であることが好ましい。また、光透過性容器４５は全てが光透過性素材でなくても一部が光透過性であればよい。また、半透明化粧料２０が、容器に収納され容器に収納されたものをそのまま使用するような化粧料の場合、容器は光透過性容器４５である必要があるが、半透明化粧料２０が、例えば棒状のリップスティックのように固体状で、繰り出し式容器に収納されて、化粧料が容器から飛び出るものである場合、容器は必ずしも光透過性容器４５でなくても構わない。また、容器の材質としては前記ＰＥＴ等の樹脂以外に、ガラス、金属等を用いることができる。
【００５９】
以上説明したように、本発明は、化粧料に光を照射し、それによって化粧料が光って化粧料が装飾される化粧料の装飾方法であって、前記化粧料が半透明化粧料２０であることを特徴とする前記化粧料の装飾方法を提供する。さらに、容器に化粧料を収納した化粧品１０の、前記化粧料に光を照射し、それによって化粧料が光って化粧品１０が装飾される化粧品１０の装飾方法であって、前記化粧料が半透明化粧料２０であることを特徴とする前記化粧品１０の装飾方法を提供する。
【００６０】
これらの方法によれば、半透明化粧料２０に光が照射されるので、半透明化粧料２０はきれいに光り、半透明化粧料２０又は半透明化粧料２０を収納した化粧品１０に優れた意匠性を付与することができる。例えば、光った半透明化粧料２０によって様々なイルミネーションなどを見ることができる。また、例えば、半透明化粧料２０を縦長の光透過性容器４５に充填し、上方から光を照射すると内容物（収納物）がグラデーションに見えるようになる。また、例えば、前記半透明化粧料２０の容器への充填に際して、充填物のデザインを工夫したり、グラデーションを形成したりして工夫すれば、視覚効果を向上させることもできる。
【００６１】
前記装飾方法の一実施態様として、容器に設けた発光体３０から光を照射することを特徴とする前記化粧品１０の装飾方法を採用することができる。これによれば、前記意匠性に優れた化粧品１０を携帯用として移動することができる。
【００６２】
また、本発明においては、前記方法を用いて、化粧料を該化粧料に光を照射する機能を有する発光体３０を設けた容器に収納した化粧品１０であって、前記化粧料が半透明化粧料２０であり、該半透明化粧料２０が前記発光体３０からの光の照射によって光ることを特徴とする前記化粧品１０が提供される。なお、前記容器は、光透過性容器４５であることが好ましい。
【００６３】
このように、前記発光体３０を容器に設けた化粧品１０とすることにより、発光体３０とともに化粧品１０を移動することができる。携帯用として、前記方法によって得られる優れた意匠性の化粧品１０を具現化できる。
【実施例】
【００６４】
以下、さらに実施例を挙げて本発明について説明する。配合量は質量％である。
【００６５】
［実施例１］
液状油分を油ゲル化剤でゲル化した油性ゲル状化粧料が光透過性容器４５に収納された化粧品１０
【００６６】
油性ゲル状化粧料の調製
成分                                      配合量（質量％）
（１）パルミチン酸デキストリン（注）          ５．０
（２）重質流動イソパラフィン                ４０．０
（３）メチルフェニルポリシロキサン          １０．０
（４）ミネラルオイル                          残量
（５）リンゴ酸ジイソステアリル              ２０．０
（６）消泡剤                                  適量
（７）酸化防止剤                              適量
（８）赤色２０２号                            ｘ（表２中に記載の量）
（９）ジメチルシリル化シリカ                  ３．０
（１０）防腐剤                                適量
（１１）香料                                  適量
合計１００．０
【００６７】
（注）レオパールＫＬ（千葉製粉株式会社製）
【００６８】
（２）〜（７）の油性成分にパルミチン酸デキストリンを加熱溶解し油性ゲルを調製したものに、ジメチルシリル化シリカ、赤色２０２号を均一に混練分散した後、防腐剤、香料を添加して、油性ゲル状化粧料を製造した。これらの油性ゲル状化粧料はいずれも半透明状であった。該油性ゲル状化粧料の光直進透過率を表２に示した。
【００６９】
【表２】
2010099227.tif 000004
【００７０】
化粧品１０の調製
前記油性ゲル状化粧料を図１〜３における化粧品１０で用いた光透過性容器４５とほぼ同じ光透過性容器４５に充填して、化粧品１０を製造した。なお、前記実施例１における光透過性容器４５は、ほぼ円柱形のＰＥＴ製光透過性容器４５（高さ；５３ｍｍ、直径；最小１７ｍｍ、最大２０ｍｍ）であり、照明関連の機構は図２と同じである。次いで、図３における場合と同様に照度１５００ｌｘのＬＥＤ３１にて、上方から縦方向に照射し、横方向から目視にて光具合を観察して評価した。下記評価基準によって評価した結果を、表２に示した。なお、実施例における光具合の評価は、すべて下記評価基準によって評価したものである。
【００７１】
［評価基準］
◎：非常にきれいに光っている。
○：光っている。
×：光らない。
【００７２】
表２より、半透明の油性ゲル状化粧料は光ってみえ、該油性ゲル状化粧料及び該油性ゲル状化粧料を充填した化粧品１０は優れた意匠性を奏することが分かる。図６には、実施例１の処方Ａの油性ゲル状化粧料を前記実施例１における光透過性容器４５に充填した化粧品１０に光を照射した状態の写真図を示したが、前記油性ゲル状化粧料が光っていることが分かる。
【００７３】
図７には、比較として透明化粧料を図１〜３と同様の容器（光透過性容器４５）に収納した化粧品１０に図３と同様に光を照射した写真図を示した。また、図８に同様に不透明化粧料の場合の写真図を示した。いずれも光っていないことが分かる。なお、図７における透明化粧料、図８における不透明化粧料の処方、製造方法及び光直進透過率は以下のとおりである。
【００７４】
［透明化粧料］
成分                                        配合量（質量％）
ジフェニルシロキシフェニルトリメチコン          ０．１
イソステアリン酸ＰＥＧ−１５グリセリル          ０．５
ＰＥＧ−４０水添ひまし油                        １．０
プルラン                                        ０．１
１，３−ＢＧ                                    ６．０
グリセリン                                      ４．０
水                                              残量
防腐剤                                          適量
合計１００．０
【００７５】
（製造方法）
ジフェニルシロキシフェニルトリメチコン、イソステアリン酸ＰＥＧ−１５グリセリル、ＰＥＧ−４０水添ひまし油を混合し、加熱した（Ａ部）。一方、他の成分を混合、加熱した後、前記Ａ部を添加しながら乳化して、エマルジョンからなる化粧料を製造した。
【００７６】
（光直進透過率）
９８．８９０％（６８０ｎｍ）、９９．０６０％（５３０ｎｍ）、９９．６０５％（４７０ｎｍ）
【００７７】
［不透明化粧料］
成分                                        配合量（質量％）
（１）パルミチン酸デキストリン（注）            ５．０
（２）トリエチルヘキサノイン                    残量
（３）メチルフェニルポリシロキサン            １０．０
（４）リンゴ酸ジイソステアリル                ２０．０
（５）酸化チタン                                ２．６
（６）赤色２０２号                              ０．２
（７）黄色４号                                  １．５
（８）酸化防止剤                                適量
（９）防腐剤                                    適量
（１０）香料                                    適量
合計１００．０
【００７８】
（注）レオパールＫＬ（千葉製粉株式会社製）
【００７９】
（製造方法）
（２）〜（４）の油性成分にパルミチン酸デキストリンを溶解し、油性ゲルを調製後、（５）〜（７）の着色顔料を投入し均一に分散した後、酸化防止剤、防腐剤、香料を添加して、不透明な油性ゲル状化粧料を製造した。
【００８０】
（光直進透過率）
０．０００％（６８０ｎｍ）、０．０００％（５３０ｎｍ）、０．０００％（４７０ｎｍ）
【００８１】
［実施例２］
液状油分を固形状油分で増粘した油性液状化粧料が光透過性容器４５に収納された化粧品１０
【００８２】
油性液状化粧料の調製
成分                                    配合量（質量％）
（１）マイクロクリスタリンワックス          ０．５
（２）ミネラルオイル                        残量
（３）水添ポリイソブテン                  ６０．０
（４）消泡剤                                適量
（５）酸化防止剤                            適量
（６）赤色２０２号                          ｘ（表３中に記載の量）
（７）ジメチルシリル化シリカ                ３．０
（８）防腐剤                                適量
（９）香料                                  適量
合計１００．０
【００８３】
（１）〜（５）の油性成分を加熱溶解したものに、赤色２０２号、ジメチルシリル化シリカを均一に混練分散した後、防腐剤、香料を添加して、油性液状化粧料化粧料を製造した。これらの油性液状化粧料はいずれも半透明状であった。該油性液状化粧料の光直進透過率を表３に示した。
【００８４】
【表３】
2010099227.tif 000005
【００８５】
化粧品１０の調製
実施例１と同様の方法で前記油性液状化粧料を充填した化粧品１０を製造し、前記化粧品１０の光り具合を実施例１と同様にして評価し、表３に示した。表３より、半透明の油性液状化粧料は光ってみえ、該油性液状化粧料及び該油性液状化粧料を充填した化粧品１０は優れた意匠性を奏することが分かる。図９には、実施例２の処方Ａの油性液状化粧料を前記図６と同様の光透過性容器４５に充填した化粧品１０に光を照射した状態の写真図を示したが、前記油性液状化粧料が光っていることが分かる。
【００８６】
［実施例３］
液状油分を固形状油分で固化させた油性固形化粧料が光透過性容器４５に収納された化粧品１０
【００８７】
油性固形化粧料の調製
成分                                          配合量（質量％）
（１）ヒドロキシステアリン酸                    １０．０
（２）水添アビエチン酸グリセリル                  ８．０
（３）ミネラルオイル                              残量
（４）イソノナン酸イソトリデシル                １０．０
（５）ジイソステアリン酸ポリグリセリル−２      ５０．０
（６）酸化防止剤                                  適量
（７）ジメチルシリル化シリカ                      ３．０
（８）防腐剤                                      適量
（９）香料                                        適量
合計１００．０
【００８８】
（１）〜（６）の油性成分を加熱溶解したものに、ジメチルシリル化シリカを均一に混練分散した後、防腐剤、香料を添加して、油性固形化粧料を製造した。該油性固形化粧料は半透明状であった。前記油性固形化粧料の光直進透過率を表４に示した。
【００８９】
【表４】
2010099227.tif 000006
【００９０】
化粧品１０の調製
実施例１と同様の方法で前記油性固形化粧料を充填した化粧品１０を製造し、前記化粧品１０の光り具合を実施例１と同様にして評価し、表４に示した。表４より、半透明の油性固形化粧料は光ってみえ、該油性固形化粧料及び該油性固形化粧料を充填した化粧品１０は優れた意匠性を奏することが分かる。なお、光り具合は図６とほぼ同様である。
【００９１】
［実施例４］
エマルジョンからなる半透明化粧料２０が光透過性容器４５に収納された化粧品１０
【００９２】
エマルジョンからなる化粧料の調製
【００９３】
表５及び表６の処方におけるジフェニルシロキシフェニルトリメチコン、イソステアリン酸ＰＥＧ−１５グリセリル、ＰＥＧ−４０水添ひまし油を混合し、加熱した（Ａ部）。一方、他の成分を混合、加熱した後、前記Ａ部を添加しながら乳化して、エマルジョンからなる化粧料を製造した。これらの化粧料はいずれも半透明状であった。該エマルジョンからなる半透明化粧料２０の光直進透過率を表７及び表８に示した。
【００９４】
【表５】
2010099227.tif 000007
【００９５】
【表６】
2010099227.tif 000008
【００９６】
【表７】
2010099227.tif 000009
【００９７】
【表８】
2010099227.tif 000010
【００９８】
化粧品１０の調製
実施例１と同様の方法で前記エマルジョンからなる半透明化粧料２０を充填した化粧品１０を製造し、前記化粧品１０の光り具合を実施例１と同様にして評価し、表７及び表８に示した。表７及び表８より、エマルジョンからなる半透明化粧料２０は光ってみえ、該エマルジョンからなる半透明化粧料２０及び該エマルジョンからなる半透明化粧料２０を充填した化粧品１０は優れた意匠性を奏することが分かる。図１０には、実施例４の処方Ｂのエマルジョンからなる半透明化粧料を前記図６と同様の光透過性容器４５に充填した化粧品１０に光を照射した状態の写真図を示したが、前記エマルジョンからなる半透明化粧料２０が光っていることが分かる。
【００９９】
［実施例５］
液晶からなる半透明化粧料２０が光透過性容器４５に収納された化粧品１０
【０１００】
液晶からなる化粧料の調製
成分                                        配合量（質量％）
（１）オレイン酸ジヒドロコレステリル          ３０．０
（２）オレイン酸フィトステアリル                ５．０
（３）酪酸コレステリル                        ２０．０
（４）酪酸ジヒドロコレステリル                １５．０
（５）ノナン酸コレステリル                    ３０．０
合計１００．０
【０１０１】
全成分を加熱混合して、液晶からなる化粧料を製造した。該化粧料は半透明状であった。該液晶からなる半透明化粧料２０の光直進透過率を表９に示した。
【０１０２】
【表９】
2010099227.tif 000011
【０１０３】
化粧品１０の調製
実施例１と同様の方法で前記液晶からなる半透明化粧料２０を充填した化粧品１０を製造し、前記化粧品１０の光り具合を実施例１と同様にして評価し、表９に示した。表９より、液晶からなる半透明化粧料２０は光ってみえ、該油液晶からなる半透明化粧料２０及び該液晶からなる半透明化粧料２０を充填した化粧品１０は優れた意匠性を奏することが分かる。図１１には、実施例５の液晶からなる半透明化粧料２０を前記図６と同様の光透過性容器４５に充填した化粧品１０に光を照射した状態の写真図を示したが、前記液晶からなる半透明化粧料２０が光っていることが分かる。
【０１０４】
［実施例６］
液状油分を油ゲル化剤でゲル化した油性ゲル状化粧料が光透過性容器４５に収納された化粧品１０
【０１０５】
油性ゲル状化粧料の調製
表１０に示した処方の油性ゲル状化粧料を以下のようにして製造した。すなわち、重質流動イソパラフィンから酸化防止剤までの油性成分にパルミチン酸デキストリンを加熱溶解し油性ゲルを調製したものに、ジメチルシリル化シリカを均一に混練分散した後、防腐剤、香料を添加して、油性ゲル状化粧料を製造した。これらの油性ゲル状化粧料はいずれも半透明状であった。該油性ゲル状化粧料の光直進透過率を表１１に示した。
【０１０６】
【表１０】
2010099227.tif 000012
【０１０７】
（注）レオパールＫＬ（千葉製粉株式会社製）
【０１０８】
【表１１】
2010099227.tif 000013
【０１０９】
化粧品１０の調製
実施例１と同様の方法で前記油性ゲル状化粧料を充填した化粧品１０を製造し、前記化粧品１０の光り具合を実施例１と同様にして評価し、表１１に示した。表１１より、半透明の油性ゲル状化粧料は光ってみえ、該油性ゲル状化粧料及び該油性ゲル状化粧料を充填した化粧品１０は優れた意匠性を奏することが分かる。なお、光り具合はいずれも図６と同様である。
【０１１０】
［実施例７］
液状油分を油ゲル化剤でゲル化した油性ゲル状化粧料が光透過性容器４５に収納された化粧品１０
【０１１１】
油性ゲル状化粧料の調製
表１２に示した処方の油性ゲル状化粧料を以下のようにして製造した。すなわち、（２）〜（７）の油性成分にパルミチン酸デキストリンを加熱溶解し油性ゲルを調製したものに、ジメチルシリル化シリカ、赤色２０２号を均一に混練分散した後、（ＰＥＴ／ＰＭＭＡ）ラミネート、防腐剤、香料を添加して、油性ゲル状化粧料を製造した。該油性ゲル状化粧料はいずれも半透明状であった。該油性ゲル状化粧料の光直進透過率を表１３に示した。
【０１１２】
【表１２】
2010099227.tif 000014
【０１１３】
（注）レオパールＫＬ（千葉製粉株式会社製）
【０１１４】
【表１３】
2010099227.tif 000015
【０１１５】
化粧品１０の調製
実施例１と同様の方法で前記油性ゲル状化粧料を充填した化粧品１０を製造し、前記化粧品１０の光り具合を実施例１と同様にして評価し、表１３に示した。表１３より、半透明の油性ゲル状化粧料は光ってみえ、該油性ゲル状化粧料及び該油性ゲル状化粧料を充填した化粧品１０は優れた意匠性を奏することが分かる。なお、光り具合は図６と同様である。
【０１１６】
［実施例８］
水を水ゲル化剤でゲル化した水性ゲル状化粧料が光透過性容器４５に収納された化粧品１０
【０１１７】
水性ゲル状化粧料の調製
表１４に示した処方の水性ゲル状化粧料を以下のようにして製造した。すなわち、（１）〜（３）を充分溶解し、該溶解物に（４）〜（６）を溶解した後、（７）〜（８）を添加しｐＨ調整を行った後、（９）を添加し分散させて水性ゲル状化粧料を製造した。これらの水性ゲル状化粧料はいずれも半透明状であった。該水性ゲル状化粧料の光直進透過率を表１５に示した。
【０１１８】
【表１４】
2010099227.tif 000016
【０１１９】
【表１５】
2010099227.tif 000017
【０１２０】
化粧品１０の調製
実施例１と同様の方法で前記水性ゲル状化粧料を充填した化粧品１０を製造し、前記化粧品１０の光り具合を実施例１と同様にして評価し、表１５に示した。表１５より、半透明の水性ゲル状化粧料は光ってみえ、該水性ゲル状化粧料及び該水性ゲル状化粧料を充填した化粧品１０は優れた意匠性を奏することが分かる。図１２には、実施例８の処方Ａの水性ゲル状化粧料を前記図６と同様の光透過性容器４５に充填した化粧品１０に光を照射した状態の写真図を示したが、前記水性ゲル状化粧料が光っていることが分かる。
【０１２１】
［実施例９］
水を水ゲル化剤でゲル化した水性ゲル状化粧料が光透過性容器４５に収納された化粧品１０
【０１２２】
水性ゲル状化粧料の調製
成分                                    配合量（質量％）
（１）キサンタンガム                        ０．５
（２）１，３−ＢＧ                          ５．０
（３）グリセリン                          １０．０
（４）水                                    残量
合計１００．０
【０１２３】
（４）の水に（１）のキサンタンガムを常温にて充分分散した後、加熱溶解し、該溶解物に（２）〜（３）を均一分散して、水性ゲル状化粧料を製造した。この水性ゲル状化粧料は半透明状であった。該水性ゲル状化粧料の光直進透過率を表１６に示した。
【０１２４】
【表１６】
2010099227.tif 000018
【０１２５】
化粧品１０の調製
実施例１と同様の方法で前記水性ゲル状化粧料を充填した化粧品１０を製造し、前記化粧品１０の光り具合を実施例１と同様にして評価し、表１６に示した。表１６より、半透明の水性ゲル状化粧料は光ってみえ、該水性ゲル状化粧料及び該水性ゲル状化粧料を充填した化粧品１０は優れた意匠性を奏することが分かる。なお、光り具合は図１２と同様である。
【０１２６】
［実施例１０］
液状油分を固形状油分で固化させた油性固形化粧料が繰り出し式の容器４０に収納された化粧品１０（リップスティック）
【０１２７】
油性固形化粧料の調製
成分                                          配合量（質量％）
（１）ヒドロキシステアリン酸                    １０．０
（２）水添アビエチン酸グリセリル                  ８．０
（３）ミネラルオイル                              残量
（４）イソノナン酸イソトリデシル                １０．０
（５）ジイソステアリン酸ポリグリセリル−２      ５０．０
（６）ジメチルシリル化シリカ                      ３．０
（７）赤色２０２号                                ０．０５
（８）防腐剤                                      適量
（９）酸化防止剤                                  適量
（１０）香料                                      適量
合計１００．０
【０１２８】
（製造方法）
（１）〜（５）を加熱溶解したものに、（６）〜（７）を混練分散後、（８）〜（１０）を添加し分散させて油性固形化粧料を製造した。製造された油性固形化粧料は半透明状であった。製造された油性固形化粧料を、加熱溶解した後、リップステイックの成型型に流し込み冷却固化し、リップステイック状の油性固形化粧料を製造した。該化粧料の光直進透過率を表１７に示した。
【０１２９】
【表１７】
2010099227.tif 000019
【０１３０】
化粧品１０の調製
前記スティック状の油性固形化粧料を、口紅用繰り出し式の容器４０（繰り出し式容器ともいう。）の中皿に差し込みセットし、リップスティックを製造した。なお、前記繰り出し式容器の中皿にセットしたリップスティックは砲弾型であり、該砲弾型リップスティックの底面の直径は１１．８ｍｍであり、高さは３０ｍｍである。次いで、前記口紅用繰り出し式容器から繰り出したリップスティックに外部より光度１５００ｍｃｄの光を照射し、前記リップスティックの光り具合を実施例１と同様にして評価し、表１７に示した。表１７より、半透明のリップスティックは非常にきれいに光ってみえ、該リップスティック及び該リップスティックを充填した化粧品１０は優れた意匠性を奏することが分かる。図１３には、前記リップスティックにに光を照射した状態の写真図を示したが、前記リップスティックが光っていることが分かる。
【図面の簡単な説明】
【０１３１】
【図１】本発明の一つの実施の形態に係る化粧品１０を示す概念的な図である。
【図２】図１の化粧品１０の構造を説明するために図１の化粧品１０の一部の内部構造が見えるように示した概念的な図である。
【図３】図１（図２）の化粧品１０のリップグロス（半透明化粧料２０）に光を照射した状態の光りの具合を示した概念的な図である。
【図４】半透明化粧料２０を化粧水瓶に収納した化粧品１０の前記半透明化粧料２０に光を照射した状態の光りの具合を概念的に示す図である。
【図５】半透明化粧料２０をジャータイプの容器に収納した化粧品１０の前記半透明化粧料２０に光を照射した状態の光りの具合を概念的に示す図である。
【図６】半透明の油性ゲル状化粧料Ａを充填した実施例１に係る化粧品１０の前記油性ゲル状化粧料Ａに光を照射した状態の写真図である。
【図７】透明化粧料を収納した化粧品１０の前記透明化粧料に光を照射した状態の写真図である。
【図８】不透明化粧料を収納した化粧品１０の前記不透明化粧料に光を照射した状態の写真図である。
【図９】半透明の油性液状化粧料Ａを充填した実施例２に係る化粧品１０の前記油性液状化粧料Ａに光を照射した状態の写真図である。
【図１０】エマルジョンからなる半透明化粧料Ｂを充填した実施例４に係る化粧品１０の前記エマルジョンからなる半透明化粧料Ｂに光を照射した状態の写真図である。
【図１１】液晶からなる半透明化粧料を充填した実施例５に係る化粧品１０の前記液晶からなる半透明化粧料に光を照射した状態の写真図である。
【図１２】水性ゲル状化粧料Ａを充填した実施例８に係る化粧品１０の前記水性ゲル状化粧料Ａに光を照射した状態の写真図である。
【図１３】実施例１０のリップスティックに光を照射した状態の写真図である。
【符号の説明】
【０１３２】
１０    化粧品
２０    半透明化粧料
３０    発光体
３１    ＬＥＤ
４０    容器
４１    キャップ
４２    しごき
４３    軸
４４    塗布具
４５    光透過性容器
５０    電池
６０    入射光
【図１】
2010099227.tif 000020
【図２】
2010099227.tif 000021
【図３】
2010099227.tif 000022
【図４】
2010099227.tif 000023
【図５】
2010099227.tif 000024
【図６】
2010099227.tif 000025
【図７】
2010099227.tif 000026
【図８】
2010099227.tif 000027
【図９】
2010099227.tif 000028
【図１０】
2010099227.tif 000029
【図１１】
2010099227.tif 000030
【図１２】
2010099227.tif 000031
【図１３】
2010099227.tif 000032